(57)【特許請求の範囲】
【請求項１】
引き揃えられた複数本の糸条（Ｐ・Ｈ）を１組として芯経糸（１１）が構成され、その複数本１組の芯経糸（１１）と色緯糸（１４）が綴調織物本体（２２）を形成し、色緯糸（１４）の綴調織物本体（２２）の表側に現れない部分が複数本の芯経糸（１１）に連続して接結しない沈み糸（１６）になっており、その色緯糸（１４）の沈み糸（１６）の浮き出る綴調織物本体（２２）の裏側に裏綴じ経糸（１３）が配置され、色緯糸（１４）とは別に綴じ緯糸（１５）が打ち込まれ、複数本１組の芯経糸（１１）の一部の糸条（Ｐ・Ｈ）と裏綴じ経糸（１３）と綴じ緯糸（１５）による裏織地（１９）が綴調織物本体（２２）の裏側に形成され、その裏織地（１９）に色緯糸の沈み糸（１６）が織り込まれ、選択的に裏織地（１９）から色緯糸（１４）が浮き出て芯経糸（１１）の上を越え、その越える芯経糸（１１）に隣合う左右の芯経糸（１１）の下を潜って織物の耳端から耳端まで続いており、その越える色緯糸（１４）が、その越える芯経糸（１１）を被覆して綴調織物本体（２２）の表面を構成していることを特徴とする綴調織物。
【請求項２】
芯経糸（１１）と色緯糸（１４）が綴調織物本体（２２）を形成し、色緯糸（１４）の綴調織物本体（２２）の表側に現れない部分が複数本の芯経糸（１１）に連続して接結しない沈み糸（１６）になっており、その色緯糸（１４）の沈み糸（１６）の浮き出る綴調織物本体（２２）の裏側に表綴じ経糸（１２）と裏綴じ経糸（１３）が表裏に分かれて配置され、色緯糸（１４）とは別に綴じ緯糸（１５）が打ち込まれ、表綴じ経糸（１２）と裏綴じ経糸（１３）と綴じ緯糸（１５）による裏織地（１９）が綴調織物本体（２２）の裏側に形成され、その裏織地（１９）に色緯糸の沈み糸（１６）が織り込まれ、色緯糸（１４）が選択的に裏織地（１９）から浮き出て芯経糸（１１Ｂ）の上を越え、その越える芯経糸（１１Ｂ）に隣合う左右の芯経糸（１１Ａ・１１Ｃ）の下を潜って織物の耳端から耳端まで続いており、その越える色緯糸（１４）が、その越える芯経糸（１１Ｂ）を被覆して綴調織物本体（２２）の表面を構成しており、芯経糸（１１）の太さが表綴じ経糸（１２）よりも太いことを特徴とする綴調織物。
【発明の詳細な説明】
【０００１】
【発明の属する技術分野】
本発明は、綴れ織に関するものである。
【０００２】
【従来の技術】
綴れ織の特徴は、その表面に描出される絵模様を構成する各部の色彩に応じた数種類の色糸を緯糸（以下、色緯糸と言う。）とし、その絵模様を構成する各部の色彩に応じて選択的に色緯糸が織り込まれて芯経糸を被覆して織物の表面に絵模様を描出しており、その選択された色緯糸は、その色彩に色取られる絵模様の一部にだけ織り込まれており、その色彩に色取られない部分では織物の裏側にも回り込んでおらず、互いに隣合って異色となる絵模様の形際では、その隣合う色緯糸がそれぞれ折り返され、色緯糸が緯方向に連続しない間隙（孔）が形成される織物の織組織構造にある。
【０００３】
綴れ織の他の特徴は、色緯糸に被覆される芯経糸の全てが、色緯糸に交絡する箇所において色緯糸に押し下げられたり押し上げられることなく、経方向に柱状一直線状に連続しており、従って、芯経糸を被覆する色緯糸の全てが柱状一直線状に連続する芯経糸の表裏に迂回し曲折して緯方向に連続しており、織物の表面に芯経糸が全く現れず、織物の表面が色緯糸によってのみ色取られる点にある。
【０００４】
綴れ織の他の特徴は、全ての芯経糸が柱状一直線状に経方向に連続し、全ての色緯糸が芯経糸の表裏に迂回し曲折して芯経糸を被覆しているので、芯経糸に沿って経方向に一直線状に続く畝状隆起と、その畝状隆起に対応する谷溝が隣合う芯経糸と芯経糸の間に形成される点にある。
【０００５】
綴れ織の長所は、織り込む色緯糸の色数に制限がなく、芯経糸が表面に現れず、色緯糸によって多色多彩な絵模様を描出することが出来、畝状隆起と谷溝が平行して独特の美観を呈し、高級織物としての印象を与える点にある。綴れ織の短所は、絵模様の形際に色緯糸が緯方向に連続しない間隙（孔）が出来る点と、絵模様を構成する各部分毎に選択的に色緯糸を織り込むので、その製織は手織り織機を使用しての手作業になり、製織効率が非常に悪くコスト高になる点にある。
【０００６】
【発明が解決しようとする課題】
綴れ織を同様の特徴を有する綴調織物を自動織機を用いて効率的に製織する種々の試みがなされている。本願出願人は、その一つの方法を特開平６−３４６３４１号に開示している。その方法では、織り込む色緯糸の色数が無制限であり、多数の色緯糸を自動的に選択して織り込むことが出来、織幅よりも長い色緯糸を織前に供給することよって、芯経糸２１に沿った畝状隆起１７を形成することが出来る。
【０００７】
しかしながら、色緯糸１４は機械的に経糸間の開口に打ち込まれるので織物の耳端から耳端まで連続することになり、色緯糸１４の織物の表面に浮き出て芯経糸２１の表面を被覆しない部分１６（以下、沈み糸と言う。）では織物の裏側に連続して浮き出すことになる。しかし、織物の表面に描出する絵模様の色数が増え、織物の緯糸一段毎に選択的に打ち込まれる色緯糸１４の数も増えると、その裏側に浮き出る沈み糸１６の数も増え、織物の裏面が無数の沈み糸１６の並んだ軟弱なウエブ層になり、その沈み糸１６が引っ掛けられて表面絵模様が綻び易くなる。
【０００８】
その場合、図１に図示するように、織物の裏側に綴じ経糸２０を配置し、沈み糸１６を綴じ経糸２０に交絡させて浮き出さないように抑え込むことも考えられるが、各緯糸一段毎に無数に生じる全ての沈み糸１６を綴じ経糸２０に交絡させると、その綴じ経糸２０が引っ掛けられると芋蔓式に全ての沈み糸１６が引き抜かれることにもなり、又、絵模様の色数が増えると沈み糸１６が浮き出る長さも長くなるので沈み糸１６と綴じ経糸２０の交絡箇所がルーズになって、綴じ経糸２０による沈み糸１６の抑え込みが不十分になる。
【０００９】
【発明の目的】
そこで本発明は、自動織機において各緯糸一段毎に多数の色緯糸を選択的に織り込んで織成される綴調織物本体２２の裏側に、綴じ経糸１２・１３を配置し、芯経糸１１と色緯糸１４の形成する綴調織物本体２２とは別に、綴じ経糸１２・１３と綴じ緯糸１５による裏織地１９を形成し、その裏織地１９に色緯糸の沈み糸１６を織り込んで耐久性に優れた綴調織物を効率的に提供することを目的とする。
【００１０】
【課題を解決するための手段】
本発明は、引き揃えられた複数本の糸条Ｐ・Ｈを１組として芯経糸１１が構成され、その複数本１組の芯経糸１１と色緯糸１４が綴調織物本体２２を形成し、色緯糸１４の綴調織物本体２２の表側に現れない部分が複数本の芯経糸１１に連続して接結しない沈み糸１６になっており、その色緯糸１４の沈み糸１６の浮き出る綴調織物本体２２の裏側に裏綴じ経糸１３が配置され、色緯糸１４とは別に綴じ緯糸１５が打ち込まれ、複数本１組の芯経糸１１の一部の糸条Ｐ・Ｈと裏綴じ経糸１３と綴じ緯糸１５による裏織地１９が綴調織物本体２２の裏側に形成され、その裏織地１９に色緯糸の沈み糸１６が織り込まれ、選択的に裏織地１９から色緯糸１４が浮き出て芯経糸１１の上を越え、その越える芯経糸１１に隣合う左右の芯経糸１１の下を潜って織物の耳端から耳端まで続いており、その越える色緯糸１４が、その越える芯経糸１１を被覆して綴調織物本体２２の表面を構成している綴調織物を第１の特徴とする。
【００１１】
本発明の第２の特徴は、芯経糸１１と色緯糸１４が綴調織物本体２２を形成し、色緯糸１４の綴調織物本体２２の表側に現れない部分が複数本の芯経糸１１に連続して接結しない沈み糸１６になっており、その色緯糸１４の沈み糸１６の浮き出る綴調織物本体２２の裏側に表綴じ経糸１２と裏綴じ経糸１３が表裏に分かれて配置され、色緯糸１４とは別に綴じ緯糸１５が打ち込まれ、表綴じ経糸１２と裏綴じ経糸１３と綴じ緯糸１５による裏織地１９が綴調織物本体２２の裏側に形成され、その裏織地１９に色緯糸の沈み糸１６が織り込まれ、色緯糸１４が選択的に裏織地１９から浮き出て芯経糸１１Ｂの上を越え、その越える芯経糸１１Ｂに隣合う左右の芯経糸１１Ａ・１１Ｃの下を潜って織物の耳端から耳端まで続いており、その越える色緯糸１４が、その越える芯経糸１１Ｂを被覆して綴調織物本体２２の表面を構成しており、芯経糸１１の太さを表綴じ経糸１２よりも太くした綴調織物にある。
【００１２】
【発明の実施の形態】
本発明の第２の特徴は、本発明の第１の特徴を有する綴調織物において複数本が１組になって芯経糸１１を構成する複数本の糸条Ｐ・Ｈの中で、裏綴じ経糸１３と綴じ緯糸１５と共に裏織地１９を構成する糸条Ｐを細くし、裏織地１９を構成しない糸条Ｈを太くし、両者を太さによって使い分けたことにある。
【００１３】
色緯糸１４は織物の表面に描出する絵模様の各部の色彩に応じて多数用意される。その用意された一種類或いは数種類の色緯糸１４Ａ・１４Ｂ・１４Ｃ………は、織物の緯糸一段毎に絵模様の各部の色彩に応じて選択し、その織物の緯糸一段毎に絵模様の各部の色彩に応じて数回選択的に開口を形成して芯経糸間に織り込まれる。即ち、織物の各緯糸一段毎に絵模様の各部の色彩に応じて色緯糸１４Ａ・１４Ｂ・１４Ｃ………を選択し、その選択される各色緯糸１４毎に芯経糸を選択して開口し、その各緯糸一段おける各開口毎に選択される何れかの色緯糸を打ち込み、織前の緯方向に配列された全ての芯経糸が、何れかの色緯糸１４Ａ・１４Ｂ・１４Ｃ………に被覆されてしまう毎に、綴じ緯糸１５が打ち込まれて織物が１ピック分づつ巻き取られる。多数の色緯糸１４を選択的に打ち込むには、前記の特開平６−３４６３４１号に開示された装置を利用するとよく、色緯糸１４と綴じ緯糸１５は織物の耳端から耳端まで連続したものとなる。
【００１４】
各緯糸一段毎の各色緯糸１４の打ち込み長さ（織前への供給長さ）は、織幅（織前の長さ）よりも長くする。そうすると、織幅（織前の長さ）よりも長い色緯糸１４のダブツキ分が表裏に迂回曲折して芯経糸１１を被覆し、芯経糸１１が交絡する色緯糸１４に押し下げられることも押し上げられることもなく経方向に柱状一直線状に連続し、隣合う芯経糸の間を谷溝１８とする畝状隆起１７が芯経糸１１の長さ方向に沿って織物の表面に形成され、綴れ織と同様の美観を呈した綴調織物が得られる。
【００１５】
図２は本発明の第１の特徴を図示するものであり、織物の裏側に裏綴じ経糸１３を配置すると共に、各芯経糸１１を複数本の糸条Ｈ・Ｐ・Ｈ・Ｐ・Ｈを一組として構成し、それら複数本の糸条Ｈ・Ｐ・Ｈ・Ｐ・Ｈを引き揃え、色緯糸１４とは別に綴じ緯糸１５を織り込み、各芯経糸１１を構成する一部の糸条Ｐと裏綴じ経糸１３と綴じ緯糸１５による裏織地１９を形成し、その裏織地１９に沈み糸１６が織り込まれている。綴じ緯糸１５は、複数本一組となる芯経糸１１の一部の糸条Ｐの上（表側）を越えて交絡するだけなので、色緯糸１４とは異なり綴調織物本体２２の表面に浮き出ることはなく、色緯糸１４が綴調織物本体２２の表面に描出する絵模様の美観を損なわない。又、各芯経糸１１を構成する一部の糸条Ｐが裏織地１９を構成しているので、その裏織地１９が織物の裏側に浮き上がることはなく、沈み糸１６は、裏織地１９の中に封じ込まれるので引っ掻き出されるような不具合は起こらない。
【００１６】
図３は本発明の第２の特徴を図示するものであり、芯経糸１１と表綴じ経糸１２と裏綴じ経糸１３と色緯糸１４と綴じ緯糸１５によって綴調織物が織成されている。芯経糸１１は、表綴じ経糸１２よりも太くなっている。表綴じ経糸１２と裏綴じ経糸１３は織物の表側と裏側に分かれて位置し、綴じ緯糸１５が表綴じ経糸１２と裏綴じ経糸１３に交絡して綴調織物本体２２の裏側に裏織地１９を形成している。芯経糸１１は、裏織地１９に対して綴調織物の表側に配置されており、綴じ緯糸１５と交絡することなく裏織地１９の上に浮いている。色緯糸１４は、裏織地１９に織り込まれて選択的に裏織地１９から浮き出ており、その裏織地１９から浮き出された色緯糸１４が、芯経糸１１Ｂの上を越え、その越える芯経糸１１Ｂに隣合う左右の芯経糸１１Ａ・１１Ｃの下を潜って織物の耳端から耳端まで続いており、その越える色緯糸１４が、その越える芯経糸１１Ｂを被覆して綴調織物の表面を構成している。
【００１７】
色緯糸１４は、芯経糸１１の上を越えない箇所において、表綴じ経糸１２（Ｐ）の下（裏側に）を潜っている。表面に多彩な絵模様が描出された綴調織物では、色緯糸１４は、互いに色彩が異なる数種類の色糸１４Ａ・１４Ｂ・１４Ｃ………による群を構成しており、その群をなす数種類の色糸１４Ａ・１４Ｂ・１４Ｃ………が選択的に織り込まれ、その選択的に織り込まれた数種類の色糸１４Ａ・１４Ｂ・１４Ｃ………が選択的に裏織地１９から浮き出て綴調織物本体２２の表面を構成している。裏織地１９から浮き出て芯経糸１１Ｂの上を越える色緯糸１４は、その越える芯経糸１１Ｂに隣合う左右の芯経糸１１Ａ・１１Ｃの下を潜り、その越える芯経糸１１Ｂと隣合う芯経糸１１Ａ・１１Ｃの間を谷溝１８として、その越える芯経糸１１Ｂの長さ方向に沿った畝状隆起１７が形成している。
【００１８】
綴じ緯糸１５には色緯糸１４よりも細い糸条、特に、合成繊維のマルチフイラメント糸を使用するとよい。綴じ緯糸１５は、色緯糸１４が芯経糸間（１１Ａと１１Ｂ，１１Ｂと１４Ｃ………）の開口に打ち込まれ、織前の緯方向に配列された全ての芯経糸が何れかの色緯糸１４に被覆されてから、表綴じ経糸１２（Ｐ）と裏綴じ経糸１３の開口に打ち込まれる。綴じ緯糸１５は、織物の複数の緯段につき１回の割合で表綴じ経糸１２（Ｐ）や裏綴じ経糸１３に交絡（接結）させる。表綴じ経糸１２（Ｐ）は、芯経糸１１（Ｈ）と対をなし、表綴じ経糸１本につき芯経糸１本の割合で配列するが、裏綴じ経糸１３は、複数本の芯経糸１１（Ｈ）或いは複数本の表綴じ経糸１２（Ｐ）につき１本の割合で配列してもよい。
【００１９】
図４は緯糸打ち込み各段の織前における綴調織物の断面図である。色緯糸１４の沈み糸１６は、図２と図３に図示する如く、裏織地１９に織り込まれるが、図面が複雑になるので省略されている。尚、沈み糸１６は、図２と図３に図示する如く、色緯糸１４Ａが芯経糸１１Ａを越え、それに隣合う芯経糸１１Ｂの下に潜る沈み糸１６となって続くとき、その潜る芯経糸１１Ｂの下に位置する裏綴じ経糸１３の下にまでも潜って裏織地１９の裏面に現れるようにする必要はなく、図２と図３に図示する色緯糸１４Ｃの如く、その潜る芯経糸１１Ｂ（Ｈ）の下に位置する表綴じ経糸１２（Ｐ）の下に潜り、表綴じ経糸１２（Ｐ）と裏綴じ経糸１３に挟まれた中間層を形成するように裏織地１９に織り込めばよい。
【００２０】
図４において、（１）は緯糸打ち込み第一段における断面、（２）は緯糸打ち込み第二段における断面、（３）は緯糸打ち込み第三段における断面、（４）は緯糸打ち込み第四段における断面、（５）は緯糸打ち込み第五段における断面、（６）は緯糸打ち込み第六段における断面、（７）は緯糸打ち込み第七段における断面、（８）は緯糸打ち込み第八段における断面、（９）は緯糸打ち込み第九段における断面、（１０）は緯糸打ち込み第十段における断面を図示するものである。綴じ緯糸１５は、表綴じ経糸１２（Ｐ）と裏綴じ経糸１３に対し、それぞれ織物の緯糸打ち込み各段で１０本につき１回の割合で交絡（接結）し、その交絡点（接結点）と交絡点（接結点）の間では表綴じ経糸１２（Ｐ）と裏綴じ経糸１３の間に挟まれており、綴調織物の裏面に連続して浮き出さない。
【００２１】
即ち、綴じ緯糸１５は、表綴じ経糸１２（Ｐ）に対しては綴調織物本体側において経面繻子（経繻子）となる１０枚繻子を構成し、裏綴じ経糸１３に対しては裏織地１９の裏面において経面繻子（経繻子）となる１０枚繻子を構成している。緯糸打ち込み各段における綴じ緯糸１５の表綴じ経糸１２（Ｐ）と裏綴じ経糸１３との接結点は、表綴じ経糸１２（Ｐ）との接結点が表綴じ経糸１２（Ｐ）との接結点と接結点の中間に位置し、裏綴じ経糸１３との接結点が表綴じ経糸１２（Ｐ）との接結点と接結点の中間に位置し、裏織地１９の表裏の接結点が互いに他方の接結点と接結点の中間に位置するようになっている。
【００２２】
このように裏織地１９は、綴じ緯糸１５が、表綴じ経糸１２（Ｐ）に対しては綴調織物本体側において、裏綴じ経糸１３に対しては裏織地１９の裏面において、それぞれ経面繻子（経繻子）となる１０枚ないし１６枚の繻子織組織を構成するようにすると、綴調織物の表面に平坦に続く段差のハッキリした畝状隆起１７と谷溝１８が形成されて綴れ織に酷似したものとなり、綴調織物の裏面においては芯経糸１１と色緯糸１４が形成する綴調織物本体と裏織地１９の間にダブツキがなく、色緯糸１４の打ち込みが緻密で腰のある綴調織物が得られる。この点、裏織地１９が１６枚を越える経二重繻子織組織になると、表綴じ経糸１２（Ｐ）と綴じ緯糸１５との接結点において、綴調織物本体２２が裏織地１９に引っ張り込まれて綴調織物の表面に窪みが出来易く、それとは逆に、裏織地１９が１０枚未満の経二重繻子織組織になると、裏織地１９が重厚で硬く色緯糸１４の打ち込みが困難になって綴れ織に酷似した織物が得難くなる。従って、綴じ緯糸１５が、経糸方向においては緯糸打ち込み１０〜１６段につき１回の割合で、緯糸方向においては１０〜１６本の芯経糸１１（表綴じ経糸１２・Ｐ）につき１回の割合で、それぞれ表綴じ経糸１２（Ｐ）と裏綴じ経糸１３に接結するように裏織地１９を構成することが推奨される。
尚、表綴じ経糸１２（Ｐ）と綴じ緯糸１５との接結点において、綴調織物本体２２が裏織地１９に引っ張り込まれて綴調織物の表面に窪みが出来易くなることを利用して、部分的に、或いは全体に均等に凹凸を付けて綴調織物に立体感を付与することも出来、その場合は、裏織地１９を１６枚を越える経二重繻子織組織にする。
【００２３】
手織り織機を用いた手作業で織成される綴れ織とは異なり、本発明の綴調織物は自動織機（力織機）で織成される。その自動織機には、織物の各緯糸一段毎に絵模様の各部の色彩に応じて色緯糸１４Ａ・１４Ｂ・１４Ｃ………を自動的に選択する色緯糸選択装置や、その選択された色緯糸毎に芯経糸を選択して自動的に開口する開口装置、及び、それらの装置を制禦するコンピューターを搭載することが出来る。そのコンピューターでは、色緯糸の選択される状況を知ることが出来、その色緯糸の選択状況を演算処理し、その色緯糸の選択状況に応じて裏織地１９の織組織を変え、何れの緯糸打ち込み一段において、何れの表綴じ経糸１２（Ｐ）或いは何れの裏綴じ経糸１３に綴じ緯糸１５を接結せさるべきかを決定することが出来る。特に、沈み糸１６が表綴じ経糸１２（Ｐ）と裏綴じ経糸１３に挟まれた長く連続した中間層を裏織地１９に形成することになる場合には、その長く連続する沈み糸１６を適宜裏綴じ経糸１３に接結させる。その場合、沈み糸１６と裏綴じ経糸１３との接結点は、綴じ緯糸１５と裏綴じ経糸１３との接結点に重複させず、綴じ緯糸１５と裏綴じ経糸１３の接結点と接結点の中間において、好ましくは、綴じ緯糸１５と裏綴じ経糸１３との接結点の付近で沈み糸１６を裏綴じ経糸１３に接結させる。
【００２４】
【発明の効果】
本発明（請求項１）によると、綴じ緯糸１５は、裏綴じ経糸１３によって織物の裏側へと引き込まれる一方、芯経糸１１（Ｈ）は、綴じ緯糸１５によって織物の裏側へと引き込まれることはなく、綴じ緯糸１５が織物の表面に現われることもない。そして、色緯糸１４の沈み糸１６は、織物の裏側に綴じ緯糸１５と表綴じ経糸１１（Ｐ）と裏綴じ経糸１２によって形成される裏織地１９に織り込まれて裏面に浮き出ないので、沈み糸１６が引っ掛けられて表面の絵模様が形崩れを起こしたり、畝状隆起１７や谷溝１８が綻びることなく、色緯糸１４が織物の耳端から耳端まで連続していて自動織機（力織機）で織成することが出来るので、綴れ織に酷似した耐久性に富む綴調織物を効率的に得ることが出来る。
【００２５】
本発明（請求項２）によると、表綴じ経糸１２が、芯経糸１１より細く、而も、綴じ緯糸１５によって織物の裏側へと引き込まれて織物の表面に現われることはなく、色緯糸１４が越える芯経糸１１が裏織地１９の綴調織物本体側を構成する表綴じ経糸１２よりも太く、色緯糸の沈み糸１６が表綴じ経糸１２に抑え込まれているので、畝状隆起１７と谷溝１８の起伏のハッキリした綴調織物が得られる。
【図面の簡単な説明】
【図１】従来の綴調織物の要部拡大斜視図である。
【図２】本発明に係る綴調織物の要部拡大斜視図である。
【図３】本発明に係る綴調織物の要部拡大斜視図である。
【図４】本発明に係る綴調織物の緯糸打ち込み各段毎の織前における断面図である。
【符号の説明】
１１  芯経糸
１２  表綴じ経糸
１３  裏綴じ経糸
１４  色緯糸
１５  綴じ緯糸
１６  沈み糸
１７  畝状隆起
１８  谷溝
１９  裏織地
２０  綴じ経糸
２１  芯経糸
２２  綴調織物本体
【図１】
0004273508.tif 000002
【図２】
0004273508.tif 000003
【図３】
0004273508.tif 000004
【図４】
0004273508.tif 000005